【事件の表示】
　特許第２９０１０２８号「誘電性表示素子およびその製造方法」の特許に対する特許異議の申立てについて、次のとおり決定する。
【結　論】
　訂正を認める。
　特許第２９０１０２８号の請求項１ないし２に係る特許を維持する。
【理　由】
（１）手続の経緯
　特許第２９０１０２８号の請求項１ないし２に係る発明についての出願は、平成３年１２月３日に特許出願され、平成１１年３月１９日にその発明について特許の設定登録がなされ、その後、その特許について、斉藤忠より特許異議の申立がなされ、取消理由通知がなされ、その指定期間内である平成１２年４月２１日に訂正請求がなされたものである。
（２）訂正の適否についての判断
　特許権者は、以下の訂正を求めるものである。
訂正事項a
　当初明細書【特許請求の範囲】の
「【請求項1】
　…第1または第2電極の端部から外方に間隔をあけて、これらの第1または第2電極の前記端部に沿って延びる静電気除去用導電体が形成されることを特徴とする誘電性表示素子。」
という記載を添付の訂正明細書の通り、
『【請求項1】
　…第1または第2電極の駆動用ドライバICを実装しない端部から外方に間隔をあけて、これらの第1または第2電極の前記端部に沿って延びる静電気除去用導電体が形成されることを特徴とする誘電性表示素子。』
という記載に訂正する。
訂正事項ｂ
「【請求項2】
　…第1または第2電極の端部を共通に接続する短絡部分とを、形成するとともに、
　…その後、接着剤よりも外側で短絡部分よりも内側で、第1または第2電極の端部にレーザ光線を照射して、第1または第2電極の端部と短絡部分とを分断することを特徴とする誘電性表示素子の製造方法。」
という記載を添付の訂正明細書の通り、
『【請求項2】
　　…第1または第2電極の駆動用ドライバICを実装しない端部を共通に接続する短絡部分とを、形成するとともに、
…その後、接着剤よりも外側で短絡部分よりも内側で、第1または第2電極の端部にレーザ光線を照射して、第1または第2電極の端部と短絡部分とを分断し、かつ第1または第2電極の端部と分断した短絡部分を残しておくことを特徴とする誘電性表示素子の製造方法。』
という記載に訂正する。
訂正事項ｃ
当初明細書段落番号【0014】の
「【課題を解決するための手段】
　…第1または第2電極LG,LSの端部から外方に間隔をあけて、これらの第1または第2電極LG,LSの前記端部に沿って延びる静電気除去用導電体41が形成されることを特徴とする誘電性表示素子である。」
という記載を添付の訂正明細書の通り、
『【課題を解決するための手段】
　…第1または第2電極LG,LSの駆動用ドライバICを実装しない端部から外方に間隔をあけて、これらの第1または第2電極LG,LSの前記端部に沿って延びる静電気除去用導電体41が形成されることを特徴とする誘電性表示素子である。』
という記載に訂正する。
訂正事項ｄ
　当初明細書段落番号【0015】の
「…第1または第2電極LG,LSの端部を共通に接続する短絡部分51とを、形成するとともに、
　…その後、接着剤34よりも外側で短絡部分51よりも内側で、第1または第2電極LG,LSの端部にレーザ光線を照射して、第1または第2電極LG,LSの端部と短絡部分51とを分断することを特徴とする誘電性表示素子の製造方法である。」
という記載を添付の訂正明細書の通り、
『…第1または第2電極LG,LSの駆動用ドライバICを実装しない端部を共通に接続する短絡部分51とを、形成するとともに、
　…その後、接着剤34よりも外側で短絡部分51よりも内側で、第1または第2電極LG,LSの端部にレーザ光線を照射して、第1または第2電極LG,LSの端部と短絡部分51とを分断し、かつ第1または第2電極の端部と分断した短絡部分を残しておくことを特徴とする誘電性表示素子の製造方法である。』という記載に訂正する。
訂正事項ｅ
当初明細書段落番号【0016】の
「【作用】
　…前記一方の基板32の前記表面にはさらに、第1または第2電極LG,LS
の端部から外方に間隔をあけて、それぞれの電極LGまたはLSの端部に沿って延びる静電気除去用導電体41を設ける。…」
という記載を添付の訂正明細書の通り、
『【作用】
　…前記一方の基板32の前記表面にはさらに、第1または第2電極LG,LSの駆動用ドライバICを実装しない端部から外方に間隔をあけて、それぞれの電極LGまたはLSの端部に沿って延びる静電気除去用導電体41を設ける。…』
という記載に訂正する。
訂正事項ｆ
　当初明細書段落番号【0017】の
「…短絡部分51は、第1または第2電極LG,LSを共通に電気的に接続する
ので、たとえば配向膜のラビング処理時に発生する静電気による影響が防がれる。…」
という記載を添付の訂正明細書の通り、
『…短絡部分51は、第1または第2電極LG,LSの駆動用ドライバICを実
装しない端部を共通に電気的に接続するので、たとえば配向膜のラビング処理時に発生する静電気による影響が防がれる。…』
という記載に訂正する。
イ．訂正の目的の適否、新規事項の有無及び拡張・変更の存否
  上記訂正事項ａは、出願当初明細書の段落２１にある、「また、走査側ＩＣ３９および信号側ＩＣ４０を実装しない辺におけるガラス基板３２上には、電極ＬＧおよび電極ＬＳの各端部から外方に間隔をあけて電極ＬＧ，ＬＳの端部に沿って延びる静電気除去用導電体４１が、ガラス基板３２の端部から長さｄだけ内側に形成されている。」という記載に基づいて、請求項１の「第１または第２電極の端部から外方に間隔をあけて」という記載を「第１または第２電極の駆動用ドライバＩＣを実装しない端部から外方に間隔をあけて」とするもので、特許請求の範囲の範囲の減縮に該当し、新規事項の追加に該当せず、実質的に特許請求の範囲を拡張または変更するものでもない。
　上記訂正事項ｂは、出願当初明細書の段落２５乃至２８にある、「図４において、下側のガラス基板３２上の走査側ＩＣ３９および信号側ＩＣ４０が実装されない辺には、右上がりのハッチングで表したＴａから成る電極ＬＧ，ＬＳの各端部を共通に接続する短絡部分５１を、この電極ＬＧ，ＬＳを形成するときに同時に形成する。・・・　液晶表示素子３０の組立後においては、短絡部分５１は不要となるため、図６に示すようにレーザ光源５４からのレーザ光線５５を下側のガラス基板３２へ照射し、電極ＬＧおよび電極ＬＳの各端部と短絡部分５１とを分断する。レーザ光線５５は、図４において、矢印５６で示される位置すなわち右下がりのハッチングで表される接着剤３４よりも外側で、右上がりのハッチングで表される短絡部分５１よりも内側の位置に照射され、電極ＬＧあるいは電極ＬＳが短絡部分５１と分断される。・・・　このように、レーザ光線５５によって、短絡部分５１の切断を液晶表示素子３０の内側で行うため、図１に示すように、電極ＬＧ，ＬＳの各端部の外方には、一定の間隔をおいて静電気除去用導電体４１が形成されるとともに、電極ＬＧ，ＬＳの外方に上下のガラス基板３１，３２が残った構造となる。」という記載に基づいて、請求項２の「第1または第2電極の端部を共通に接続する短絡部分とを、形成するとともに、」という記載を「第1または第2電極の駆動用ドライバICを実装しない端部を共通に接続する短絡部分とを、形成するとともに、」とし、「第1または第2電極の端部にレーザ光線を照射して、第1または第2電極の端部と短絡部分とを分断する」という記載を「第1または第2電極の端部にレーザ光線を照射して、第1または第2電極の端部と短絡部分とを分断し、かつ第1または第2電極の端部と分断した短絡部分を残しておく」とするもので、特許請求の範囲の範囲の減縮に該当し、新規事項の追加に該当せず、実質的に特許請求の範囲を拡張または変更するものでもない。
　上記訂正事項ｃ乃至ｆは、訂正後の請求項１及び２の記載と明細書の発明の詳細な説明の記載との整合性を取るためのものであり、明瞭でない記載の釈明に該当し、新規事項の追加に該当せず、実質的に特許請求の範囲を拡張又は変更するものでもない。
ウ．独立特許要件の判断
（引用刊行物）
  訂正明細書の請求項１及び請求項２に係る発明（以下、それぞれ「本件請求項１に係る発明」及び「本件請求項２に係る発明」という。）に対して、当審が通知した取消理由で引用した刊行物１（特開昭６１−１２１０８０号公報）には以下の事項が記載されている。
「基板上に形成された多数個の薄膜トランジスタから基板周縁に引き出された電極配線を、前記トランジスタを作る過程で前記基板周縁で相互接続しておき、前記電極配線と外部リードとを接続した後に前記相互接続部を切り離すことを特徴とする薄膜トランジスタアレイの製造方法。」（特許請求の範囲第１項）
「相互接続された部分をレーザ光で焼き切ることを特徴とする特許請求の範囲第１項記載の薄膜トランジスタアレイの製造方法」（特許請求の範囲第４項）
「基板上に形成された多数個の薄膜トランジスタから基板周縁に引き出された電極配線を基板周縁部で相互接続しておき、最終的に電極配線と外部リードとを接続する直前又は接続後に相互接続部を切り離す」(第2頁左上欄第1８行~右上欄第３行)
「基板1上にTFTのゲートライン3とソースライン2が交差して形成されており、４で示す交差する点全てにTFTが形成されている。５は外部回路と接続するための外部リード取出電極で、本来は各々が独立しているのであるが、本発明では電極５が相互接続部６で短絡されていることことが特徴である。・・・TFTアレイが形成された基板(通常はガラス板)1上に対向基板23が約１０μｍの間隔でもって接着されており、その間隔に液晶が充填されている。回路基板21上には配線22が形成されており、TFT基板1上の電極5と回路基板２１上の配線２２とは例えば金属細線24で接続される。その後隣り合う線間に通電するか、もしくは、レ一ザ光を照射することにより、２５で示す位置で相互接続部6を切断し、各々の電極配線を独立させることができる。(第2頁右上欄第８行~左下欄第６行)。
　第4図には、細かく形成された切断箇所41がソースライン2のリード取出電極、ゲートライン3のリード取出電極上に形成されており、レーザ光によって両ラインの切断箇所41を切断する工程を経て、基板1の相互接続部6が、ゲートライン3及びソースライン2の各端部から外方に間隔をあけて、これら端部に沿って延びる導電体となるものが記載されている。
（対比・判断）
　刊行物１には、ＴＦＴのゲートラインまたはソースラインを外部回路と接続するための外部リード取出電極を短絡する相互接続部についての記載はあるが、ゲートラインまたはソースラインの外部回路と接続しない側に関する記載はなく、本件請求項１に係る発明の構成である「第1または第2電極の駆動用ドライバICを実装しない端部から外方に間隔をあけて、これらの第1または第2電極の前記端部に沿って延びる静電気除去用導電体が形成される」点及び本件請求項２に係る発明の構成である「第1または第2電極の駆動用ドライバICを実装しない端部を共通に接続する短絡部分とを、形成するとともに、・・・その後、・・・第1または第2電極の端部と短絡部分とを分断し、かつ第1または第2電極の端部と分断した短絡部分を残しておく」点についての記載も示唆もない。　
  そして、この点により本件請求項１及び２に係る発明は、「製造工程中だけでなく、完成後においても、静電気除去用導電体４１及び短絡部分５１によって、静電気による悪影響が防がれ、たとえばスイッチング素子３７が静電気によって損傷することなどが防がれる。」という顕著な効果を奏するものであるので、本件請求項１及び２に係る発明は上記刊行物１記載の発明から容易に発明をすることができたものとはいえない。
エ．むすび
　以上のとおりであるから、上記訂正は、特許法第１２０条の４第２項及び同条第３項で準用する第１２６条第２〜４項の規定に適合するので当該訂正を認める。
３）特許異議申立てについての判断
ア．本件発明　
　訂正明細書の請求項１及び請求項２に係る発明（以下、それぞれ「本件発明１」及び「本件発明２」という。）は、その特許請求の範囲の請求項１及び請求項２に記載された以下のとおりのものである。
「【請求項1】　少なくとも一方が透光性を有する一対の基板間に誘電体が介在される誘電性表示素子において、一方の基板における他方の基板に対向する表面に、複数の相互に平行な第1電極と、第1電極に交差する複数の相互に平行な第2電極と、第1および第2電極の交点付近に設けられる画素電極と、前記交点付近に設けられ、第2電極と画素電極とを、第1電極の信号によってオン・オフ制御するスイッチング素子形成され、前記他方の基板における前記一方の基板に対向する表面に、画素電極に共通に対向する共通電極が形成され、前記一方の基板の前記表面には、第1または第2電極の駆動用ドライバICを実装しない端部から外方に間隔をあけて、これらの第1または第2電極の前記端部に沿って延びる静電気除去用導電体が形成されることを特徴とする誘電性表示素子。
【請求項2】　一対の基板間に誘電体が介在される誘電性表示素子の製造方法において、透光性を有する一方の基板における他方の基板に対向する表面に、複数の相互に平行な第1電極と、第1電極に交差する複数の相互に平行な第2電極と、第1および第2電極の交点付近に設けられる画素電極と、第1または第2電極の駆動用ドライバICを実装しない端部を共通に接続する短絡部分とを、形成するとともに、前記交点付近に、第2電極と画素電極との導電を、第1電極の信号によってオン・オフ制御するスイッチング素子を形成し、前記他方の基板における前記一方の基板に対向する表面に、画素電極に共通に対向する共通電極を形成し、次に、前記一方の基板の前記表面と、前記他方の基板の前記表面との間で、短絡部分よりも内側で第1および第2電極上にわたって接着剤を用いて前記一方の基板と前記他方の基板とを、貼合わせて誘電体を封止し、その後、接着剤よりも外側で短絡部分よりも内側で、第1または第2電極の端部にレーザ光線を照射して、第1または第2電極の端部と短絡部分とを分断し、かつ第1または第2電極の端部と分断した短絡部分を残しておくことを特徴とする誘電性表示素子の製造方法。」
イ．申立の理由の概要
　申立人斉藤忠は、本件発明は甲第１号証（特開昭６１−１２１０８０号公報）記載の発明と同一であるか、甲第１号証（特開昭６１−１２１０８０号公報）に基づいて当業者が容易に発明をすることができたものであり、特許法第２９条第１項第３号または第２項の規定により特許を受けることができないものであるから、特許を取り消すべきと主張している。　
ウ．判断
　上記「（２）訂正の適否についての判断」の「ウ．独立特許要件の判断」で述べたとおり、本件発明１及び２は甲第１号証記載の発明と同一であるとも、また甲第１号証に基づいて当業者が容易に発明をすることができたものともいえない。
エ．むすび
　以上のとおりであるから、特許異議申立の理由及び証拠によっては、本件発明についての特許を取り消すことはできない。
　また、他に本件発明についての特許を取り消すべき理由を発見しない。
　よって、結論のとおり決定する。
【異議決定日】
平成１２年６月７日（２０００．６．７）
【訂正の要旨】
　当初明細書【特許請求の範囲】の
「【請求項１】
　…第１または第２電極の端部から外方に間隔をあけて、これらの第１または第２電極の前記端部に沿って延びる静電気除去用導電体が形成されることを特徴とする誘電性表示素子。」
という記載を添付の訂正明細書の通り、
『【請求項１】
　…第１または第２電極の駆動用ドライバＩＣを実装しない端部から外方に間隔をあけて、これらの第１または第２電極の前記端部に沿って延びる静電気除去用導電体が形成されることを特徴とする誘電性表示素子。』
という記載に訂正し、
「【請求項２】
　…第１または第２電極の端部を共通に接続する短絡部分とを、形成するとともに、
　…その後、接着剤よりも外側で短絡部分よりも内側で、第１または第２電極の端部にレーザ光線を照射して、第１または第２電極の端部と短絡部分とを分断することを特徴とする誘電性表示素子の製造方法。」
という記載を添付の訂正明細書の通り、
『【請求項２】
　…第１または第２電極の駆動用ドライバＩＣを実装しない端部を共通に接続する短絡部分とを、形成するとともに、
　…その後、接着剤よりも外側で短絡部分よりも内側で、第１または第２電極の
端部にレーザ光線を照射して、第１または第２電極の端部と短絡部分とを分断し、かつ第１または第２電極の端部と分断した短絡部分を残しておくことを特徴とする誘電性表示素子の製造方法。』
という記載に訂正する。
　それに伴い、当初明細書段落番号【００１４】の
「【課題を解決するための手段】
　…第１または第２電極ＬＧ，ＬＳの端部から外方に間隔をあけて、これらの第１または第２電極ＬＧ，ＬＳの前記端部に沿って延びる静電気除去用導電体４１が形成されることを特徴とする誘電性表示素子である。」
という記載を添付の訂正明細書の通り、
『【課題を解決するための手段】
　…第１または第２電極ＬＧ，ＬＳの駆動用ドライバＩＣを実装しない端部から外方に間隔をあけて、これらの第１または第２電極ＬＧ，ＬＳの前記端部に沿って延びる静電気除去用導電体４１が形成されることを特徴とする誘電性表示素子である。』
という記載に訂正する。
　さらに、当初明細書段落番号【００１５】の
「…第１または第２電極ＬＧ，ＬＳの端部を共通に接続する短絡部分５１とを、形成するとともに、
　…その後、接着剤３４よりも外側で短絡部分５１よりも内側で、第１または第２電極ＬＧ，ＬＳの端部にレーザ光線を照射して、第１または第２電極ＬＧ，ＬＳの端部と短絡部分５１とを分断することを特徴とする誘電性表示素子の製造方法である。」
という記載を添付の訂正明細書の通り、
『…第１または第２電極ＬＧ，ＬＳの駆動用ドライバＩＣを実装しない端部を共通に接続する短絡部分５１とを、形成するとともに、
　…その後、接着剤３４よりも外側で短絡部分５１よりも内側で、第１または第２電極ＬＧ，ＬＳの端部にレーザ光線を照射して、第１または第２電極ＬＧ，ＬＳの端部と短絡部分５１とを分断し、かつ第１または第２電極の端部と分断した短絡部分を残しておくことを特徴とする誘電性表示素子の製造方法である。』
という記載に訂正する。
　さらに、当初明細書段落番号【００１６】の
「【作用】
　…前記一方の基板３２の前記表面にはさらに、第１または第２電極ＬＧ，ＬＳの端部から外方に間隔をあけて、それぞれの電極ＬＧまたはＬＳの端部に沿って延びる静電気除去用導電体４１を設ける。…」
という記載を添付の訂正明細書の通り、
『【作用】
　…前記一方の基板３２の前記表面にはさらに、第１または第２電極ＬＧ，ＬＳの駆動用ドライバＩＣを実装しない端部から外方に間隔をあけて、それぞれの電極ＬＧまたはＬＳの端部に沿って延びる静電気除去用導電体４１を設ける。…』
という記載に訂正する。
　さらに、当初明細書段落番号【００１７】の
「…短絡部分５１は、第１または第２電極ＬＧ，ＬＳを共通に電気的に接続するので、たとえば配向膜のラビング処理時に発生する静電気による影響が防がれる。…」
という記載を添付の訂正明細書の通り、
『…短絡部分５１は、第１または第２電極ＬＧ，ＬＳの駆動用ドライバＩＣを実装しない端部を共通に電気的に接続するので、たとえば配向膜のラビング処理時に発生する静電気による影響が防がれる。…』
という記載に訂正する。
（５４）【発明の名称】
誘電性表示素子およびその製造方法
（５７）【特許請求の範囲】
　【請求項１】　少なくとも一方が透光性を有する一対の基板間に誘電体が介在される誘電性表示素子において、
　一方の基板における他方の基板に対向する表面に、
　複数の相互に平行な第１電極と、
　第１電極に交差する複数の相互に平行な第２電極と、
　第１および第２電極の交点付近に設けられる画素電極と、
　前記交点付近に設けられ、第２電極と画素電極とを、第１電極の信号によってオン・オフ制御するスイッチング素子形成され、
　前記他方の基板における前記一方の基板に対向する表面に、画素電極に共通に対向する共通電極が形成され、
　前記一方の基板の前記表面には、
　第１または第２電極の
駆動用ドライバＩＣを実装しない
　【請求項２】　一対の基板間に誘電体が介在される誘電性表示素子の製造方法において、
　透光性を有する一方の基板における他方の基板に対向する表面に、
　複数の相互に平行な第１電極と、
　第１電極に交差する複数の相互に平行な第２電極と、
　第１および第２電極の交点付近に設けられる画素電極と、
　第１または第２電極の
駆動用ドライバＩＣを実装しない
　前記交点付近に、第２電極と画素電極との導電を、第１電極の信号によってオン・オフ制御するスイッチング素子を形成し、
　前記他方の基板における前記一方の基板に対向する表面に、画素電極に共通に対向する共通電極を形成し、
　次に、前記一方の基板の前記表面と、前記他方の基板の前記表面との間で、短絡部分よりも内側で第１および第２電極上にわたって接着剤を用いて前記一方の基板と前記他方の基板とを、貼合わせて誘電体を封止し、
　その後、接着剤よりも外側で短絡部分よりも内側で、第１または第２電極の端部にレーザ光線を照射して、第１または第２電極の端部と短絡部分とを分断
し、かつ第１または第２電極の端部と分断した短絡部分を残しておく
【発明の詳細な説明】
　　　【０００１】
　　【産業上の利用分野】
　本発明は、たとえば液晶表示素子などの誘電性表示素子の構造および製造方法に関する。
　　　【０００２】
　　【従来の技術】
　従来から、導電体から成る電極間に絶縁体または誘電体あるいは半導体が介在される構造を有するたとえば液晶表示素子等の誘電性表示素子の製造工程中に、ラビング法などの配向処理によって静電気が発生し、この静電気が電極相互間に蓄積して電位差を生じさせ、放電や発熱が発生して前述した絶縁体や半導体などを損傷させるという問題がある。
　　　【０００３】
　特に近年では、薄膜トランジスタ（ＴＦＴ）などの半導体が、表示電極などに選択的に電圧を印加するスイッチング素子として液晶表示素子に用いられており、前述した静電気に起因する発熱や放電によって、このようなスイッチング素子の特性のずれや破壊などが生じることがある。
　　　【０００４】
　そこで、このような誘電性表示素子の製造工程中に発生する静電気によって起こり得る、絶縁体や半導体などの損傷を防止するための製造方法が、特許１１６３２３４号に開示されている。
　　　【０００５】
　図７および図８は、上述した特許に従う液晶表示素子の製造方法を示す液晶表示素子１の斜視図である。液晶表示素子１は、対向する表面にそれそれ電極が形成された一対のガラス基板２，３間に図示しない液晶が封止されて構成される。
ガラス基板２，３の表面には、透明な表示電極やこの表示電極に選択的に電圧を印加するために、ＴＦＴなどのスイッチング素子が形成されている。これらの表示電極およびスイッチング素子にそれぞれ接続された配線４が、ガラス基板３上を四方に延びて接続用の端子が形成されている。
　　　【０００６】
　このとき、表示電極や配線４と接続されて導出された端子を共通に電気的に接続する短絡部分５を、表示電極などと同じ導電膜を用いてガラス基板３の周縁部に沿って形成する。このような配線４が全て共通に接続された短絡部分５を有するガラス基板３を用いて液晶表示素子１を製造することによって、たとえば液晶表示素子１がツイステッドネマティック型液晶表示素子とされる場合に、ガラス基板３表面に施されるラビング法による配向処理時に生じる静電気は、表示電極やスイッチング素子が全て短絡部分５によって接続されて同電位となっているために、特定の電極に蓄積されることがない。
　　　【０００７】
　これによって製造工程中に発生する静電気からＴＦＴなどのスイッチング素子などを保護し、液晶表示素子１の完成時に、図８（１）に示すように短絡部分５を含むガラス基板３の周縁部をガラス基板３の厚み方向に亘って、たとえばダイヤモンドカッタなどの切削用具を用いて切断して各端子４を分離し、以後の工程に進む。また、図８（２）に示されるように、前述した短絡部分５を面取りすることによって除去するようにしたものも知られている（特開平２−１９３１１２号公報参照）。
　　　【０００８】
　短絡部分５の除去後、液晶表示素子１は、駆動用のドライバＩＣを実装する工程においても、たとえば作業者の指や製造装置内の液晶表示素子１と接触する個所などの導電体との間で静電気による電位差を生じるおそれがある。このため、静電対策として、前述したような導電体と液晶表示素子１との間に電位差を生じないようにするため、人体アースあるいは装置アースを行ったり、また液晶表示素子１上に生じた静電気を除去するため、プラスイオンおよびマイナスイオンを発生して静電気を除去する除電ブロアや除電バーなどを設置している。
　　　【０００９】
　　【発明が解決しようとする課題】
　前述したような短絡部分５の除去後における液晶表示素子１の静電気による影響は、作業者の指や生産装置などの導電体が作業ミス等によって、外部に露出状態となった配線４に接触したような場合に、この配線４から静電気が侵入することによって起こる。
　　　【００１０】
　図９は、駆動用のドライバＩＣをＣＯＦ（Ｃｈｉｐ　Ｏｎ　Ｆｉｌｍ）方式によって実装する場合に、ＴＣＰ（テープ　キャリア　パッケージ）１０が短絡部分５除去後の液晶表示素子１に実装される状態を示す図であり、図１０は、駆動用のドライバＩＣが、ＣＯＧ（Ｃｈｉｐ　Ｏｎ　Ｇｌａｓｓ）方式によって実装される場合を示す図である。また、図１１は、液晶表示素子１４の矢印１７における断面図である。
　　　【００１１】
　図９に示すように、たとえば画素数と実装密度との関係上、液晶表示素子１の４辺の全てにＩＣが接続されるような場合には、外部に露出状態となる配線４は、このＴＣＰ１０が実装されることによって外部の導電体から保護される。
　　　【００１２】
　ところで、駆動用のドライバＩＣである走査側ＩＣ１５および信号側ＩＣ１６をガラス基板３上に直接搭載するＣＯＧ方式の場合には、図１０に示すように、短絡部分５をＩＣを接続しない辺に形成する必要がある。これは、短絡部分５を、ＩＣ１５，１６を搭載する辺に形成すると、多層配線を用いなければならず、工程数が増え、また歩留まりも下がるからである。このような形態の液晶表示素子１４では、短絡部分５の除去後にＩＣ１５，１６を接続した後においても、配線４は外部に露出したままの状態となっているため、この部分に導電体が接触するおそれがある。また、ＩＣ１５，１６を接続しない辺、すなわち図１０の矢印１７における辺において、図１１に示すように、上下のガラス基板２および３の辺が沿うように短絡部分５を切断した状態であっても、配線４の矢印４ａ部分は、外部に露出した状態となっているため、同様の問題点がある。
　　　【００１３】
　したがって本発明の目的は、外部から導電体が接触したときでも、配線から静電気が侵入することを防止できる誘電性表示素子およびその製造方法を提供する
ことである。
　　　【００１４】
　　【課題を解決するための手段】
　本発明は、少なくとも一方が透光性を有する一対の基板３２，３１間に誘電体が介在される誘電性表示素子において、
　一方の基板３２における他方の基板に対向する表面に、
　複数の相互に平行な第１電極ＬＧと、
　第１電極に交差する複数の相互に平行な第２電極ＬＳと、
　第１および第２電極ＬＧ，ＬＳの交点付近に設けられる画素電極３８と、
　前記交点付近に設けられ、第２電極ＬＳと画素電極３８とを、第１電極ＬＧの信号によってオン・オフ制御するスイッチング素子３７とが形成され、
　前記他方の基板３１における前記一方の基板３２に対向する表面に、画素電極３８に共通に対向する共通電極３５が形成され、
　前記一方の基板３２の前記表面には、
　第１または第２電極ＬＧ，ＬＳの
駆動用ドライバＩＣを実装しない
　　　【００１５】
　また本発明は、一対の基板３２，３１間に誘電体が介在される誘電性表示素子の製造方法において、
　透光性を有する一方の基板３２における他方の基板３１に対向する表面に、
　複数の相互に平行な第１電極ＬＧと、
　第１電極に交差する複数の相互に平行な第２電極ＬＳと、
　第１および第２電極ＬＧ，ＬＳの交点付近に設けられる画素電極３８と、
　第１または第２電極ＬＧ，ＬＳの
駆動用ドライバＩＣを実装しない
　前記交点付近に、第２電極ＬＳと画素電極３８との導電を、第１電極ＬＧの信号によってオン・オフ制御するスイッチング素子３７を形成し、
　前記他方の基板３１における前記一方の基板３２に対向する表面に、画素電極３８に共通に対向する共通電極３５を形成し、
　次に、前記一方の基板３２の前記表面と、前記他方の基板３１の前記表面との間で、短絡部分５１よりも内側で第１および第２電極ＬＧ，ＬＳ上にわたって接着剤３４を用いて前記一方の基板３２と前記他方の基板３１とを、貼合わせて誘電体を封止し、
　その後、接着剤３４よりも外側で短絡部分５１よりも内側で、第１または第２電極ＬＧ，ＬＳの端部にレーザ光線を照射して、第１または第２電極ＬＧ，ＬＳの端部と短絡部分５１とを分断
し、かつ第１または第２電極の端部と分断した短絡部分を残しておく
　　　【００１６】
　　【作用】
　本発明に従えば、少なくとも一方が透光性を有する一対の基板３２，３１間に誘電体を介在させ、さらにこれらの基板３２，３１の表面に相互に対向する電極ＬＧ，ＬＳ，３８；３５を形成する。すなわち一方の基板３２における他方の基板３１に対向する表面に、第１電極ＬＳと、この第１電極ＬＳに交差する第２電極ＬＳと、それらの交点付近に画素電極３８とを形成し、さらに前記交点付近には、第２電極ＬＳと画素電極３８との導電を、第１電極ＬＧの信号によってオン・オフ制御するスイッチング素子３７を形成する。前記他方の基板３１における前記一方の基板３２に対向する表面には、画素電極３８に共通に対向する共通電極３５を形成する。
　前記一方の基板３２の前記表面にはさらに、第１または第２電極ＬＧ，ＬＳの
駆動用ドライバＩＣを実装しない
　　　【００１７】
　また本発明に従えば、少なくとも一方が透光性を有する一対の基板３２，３１間に誘電体を介在させ、さらにこれらの基板３２，３１の表面に相互に対向する電極ＬＧ，ＬＳ，３８；３５を形成する。一方の基板３２と他方の基板３１とは、短絡部分５１よりも内側で第１および第２電極ＬＧ，ＬＳ上にわたって接着剤３４を用いて基板３２，３１を、貼合わせて液晶などの誘電体を封止する。短絡部分５１は、第１または第２電極ＬＧ，ＬＳ
の駆動用ドライバＩＣを実装しない端部
　また本発明に従えば、第１または第２電極ＬＧ，ＬＳの端部と短絡部分５１とを分断するにあたっては、一対の基板３２，３１を貼合わせた後、接着剤３４よりも外側で短絡部分５１よりも内側で、第１および第２電極ＬＧまたはＬＳの端部にレーザ光線を照射するので、静電気が遮断されることが確実である。このことは、完成後の本件誘電性表示素子でも同様であり、静電気が入込みにくくなる。こうしてスイッチング素子３７の静電気による損傷などが防がれる。
　　　【００１８】
　　【実施例】
　図１は本発明の一実施例であるアクティブマトリクス型液晶表示素子（以下、単に液晶表示素子という）３０の電極部分の構造を示す拡大平面図であり、図２は液晶表示素子３０の全体構成を示す平面図であり、図３は図２における切断面線ＩＩＩ−ＩＩＩから見た断面図である。
　　　【００１９】
　液晶表示素子３０は、対向する表面にそれぞれ電極が形成された一対のガラス基板３１，３２間に液晶３３を注入し、接着剤３４で封止して構成される。上側のガラス基板３１には、ほぼ全面に共通電極３５が形成されており、下側のガラス基板３２には互いに直交するように配置された走査側電極ＬＧ（以下、単に電極ＬＧという）および信号側電極ＬＳ（以下、単に電極ＬＳという）が絶縁膜３６を介して形成されており、さらに、これらの電極ＬＧ，ＬＳの交点付近に薄膜トランジスタ（ＴＦＴ）３７と、画素電極３８とが配置されている。ＴＦＴ３７は、画素電極３８に選択的に電圧を印加するスイッチング素子である。
　　　【００２０】
　また、走査側ＩＣ３９および信号側ＩＣ４０が、ＣＯＧ方式によってガラス基板３２上に実装されており、それぞれ電極ＬＧおよび電極ＬＳを駆動する。走査側ＩＣ３９および信号側ＩＣ４０からの走査線およびデータ線の信号は、それぞれＴＦＴ３７のゲート（Ｇ）、ソース（Ｓ）に印加され、電極３８のオン・オフ制御を行う。
　　　【００２１】
　また、走査側ＩＣ３９および信号側ＩＣ４０を実装しない辺におけるガラス基板３２上には、電極ＬＧおよび電極ＬＳの各端部から外方に間隔をあけて電極ＬＧ，ＬＳの端部に沿って延びる静電気除去用導電体４１が、ガラス基板３２の端部から長さｄだけ内側に形成されている。この静電気除去用導電体４１は、ガラス基板３２上に電極ＬＧ，ＬＳを形成するときに同時に形成されるものであり、後述する製造方法によって電極ＬＧ，ＬＳから分断されるものである。図１においては、右上がりのハッチングで表した静電気除去用導電体４１が、同じく右上がりのハッチングで表した電極ＬＧ，ＬＳのそれぞれの端部に沿って形成されていることを示す。
　　　【００２２】
　なお、静電気除去用導電体４１は、ガラス基板３２上に電極ＬＧおよび電極ＬＳやスイッチング素子を形成する際に、スパッタ法やエレクトロンビーム法で形成し、ホトリソグラフィ法でたとえばＴａ（タンタル）から成る金属薄膜にパターン形成する。このように、静電気除去用導電体４１の形成は、ＴＦＴ３７のゲート電極を形成する際と同時に行うことができる。
　　　【００２３】
　このような電極ＬＧおよび電極ＬＳの端部から外方に間隔をあけて、その電極の端部に沿って静電気除去用導電体４１が形成されていることによって、たとえば液晶表示素子３０の製造工程中に作業者の指などの導電体が液晶表示素子３０に接触したようなときでも、電極ＬＧ，ＬＳの各端部は、静電気除去用導電体４１によって静電気シールドされた状態となる。これによって、外部の導電体からの静電気からＴＦＴ３７を保護することができる。
　　　【００２４】
　次に、前述した静電気除去用導電体４１を有する液晶表示素子３０の製造方法について、図４、図５、図６を用いて説明する。図４は静電気除去用導電体４１の形成前の電極部分の構造を示す拡大平面図であり、図５はこのときの液晶表示素子３０の外観斜視図であり、図６は液晶表示素子３０の短絡部分５１をレーザ光線５５によって分断する方法を説明するための図である。
　　　【００２５】
　図４において、下側のガラス基板３２上の走査側ＩＣ３９および信号側ＩＣ４０が実装されない辺には、右上がりのハッチングで表したＴａから成る電極ＬＧ，ＬＳの各端部を共通に接続する短絡部分５１を、この電極ＬＧ，ＬＳを形成するときに同時に形成する。この短絡部分５１は、従来の技術で述べたように、配向処理などによって発生する静電気が電極ＬＧあるいは電極ＬＳの相互の電極間に蓄積しないようにするために設けられる。その後、図５に示すように、上側のガラス基板３１を貼合わせて液晶表示素子３０を組立てる。ここでは、液晶表示素子３０の矢印５２および矢印５３の辺に、短絡部分５１が形成されている。
　基板３２，３１は、それらの相互に対向する表面の間で、短絡部分５１よりも内側で電極ＬＧ，ＬＳ上にわたって接着剤３４を用いて基板３２，３１を、基板３１が短絡部分５１を、図２に明らかに示されるように、覆うようにして、貼合わせて液晶を封止し、こうして液晶表示素子３０を組立てる。
　　　【００２６】
　液晶表示素子３０の組立後においては、短絡部分５１は不要となるため、図６に示すようにレーザ光源５４からのレーザ光線５５を下側のガラス基板３２へ照射し、電極ＬＧおよび電極ＬＳの各端部と短絡部分５１とを分断する。レーザ光線５５は、図４において、矢印５６で示される位置すなわち右下がりのハッチングで表される接着剤３４よりも外側で、右上がりのハッチングで表される短絡部分５１よりも内側の位置に照射され、電極ＬＧあるいは電極ＬＳが短絡部分５１と分断される。
　　　【００２７】
　このときのレーザ光線５５としては、本実施例のように電極ＬＧおよび電極ＬＳがＴÅ、幅５０μｍ、厚み３０００Åの場合、波長３５１ｎｍのＸｅＦエキシマレーザをエネルギ密度５Ｊ／ｃｍ２以下で、１５ｎｓｅｃ照射することによってガラス基板３２およびガラス基板３１を傷付けたりすることなく、電極ＬＧおよび電極ＬＳを切断することができる。電極ＬＧ，ＬＳがＴÅ以外の金属である場合も同様の設定条件で切断できる。
　　　【００２８】
　このように、レーザ光線５５によって、短絡部分５１の切断を液晶表示素子３０の内側で行うため、図１に示すように、電極ＬＧ，ＬＳの各端部の外方には、一定の間隔をおいて静電気除去用導電体４１が形成されるとともに、電極ＬＧ，ＬＳの外方に上下のガラス基板３１，３２が残った構造となる。
　　　【００２９】
　これによって、外部からのたとえば作業者の指などの導電体が、電極ＬＧおよび電極ＬＳに直接触れることがなく、このような導電体の接触による静電気による影響がなくなる。また、残された静電気除去用導電体４１によって電極ＬＧ，ＬＳは静電気シールドされた状態となり、外部の静電気による悪影響から保護することができる。
　　　【００３０】
　本実施例では、透過型液晶表示素子に関して説明したけれども、反射型であってもよい。また、液晶表示素子に限らず、静電気に弱い表示素子に関して広く実施することができる。
　　　【００３１】
　　【発明の効果】
　以上のように本発明によれば、外部からのたとえば作業者の指や製造装置内の接触部分などの導電体が、誘電性表示素子に接触したようなときでも、電極端部は、静電気除去用導電体によって保護されるため、このような導電体の接触によって外部から静電気が侵入することをなくすことができる。
　　　【００３２】
　さらに本発明によれば、誘電性表示素子の製造工程中に発生する静電気が、電極間に蓄積することを防止するために形成した、各電極を共通に接続する導電体すなわち短絡部分を、各電極からレーザ光線によって分断するため、上下の基板は傷付くことはない。
　　　【００３３】
　これによって、従来のように、上下の基板ごと短絡部分を除去してしまう場合に比べて、電極の外方には基板がそのまま残った状態となり、たとえば作業者の指等の導電体が直接電極に接触するといったことがないので、このような導電体の接触による静電気による影響をなくすことができる。また、電極から分断された短絡部分５１は、分断された後においても外部からの静電気から電極ＬＧまたはＬＳを保護するので、短絡部分除去後の工程においても静電気による悪影響をなくすことができる。
　特に本発明によれば、製造工程中だけでなく、完成後においても、静電気除去用導電体４１および短絡部分５１によって静電気による悪影響が防がれ、たとえばスイッチング素子３７が静電気によって損傷することなどが防がれる。
【図面の簡単な説明】
　　【図１】
　本発明の一実施例であるアクティブマトリクス型液晶表示素子３０の電極部分の構造を示す拡大平面図である。
　　【図２】
　液晶表示素子３０の全体構成を示す平面図である。
　　【図３】
　図２の切断面線ＩＩＩ−ＩＩＩから見た断面図である。
　　【図４】
　静電気除去用導電体４１形成前の電極部分の構造を示す拡大平面図である。
　　【図５】
　液晶表示素子３０の組立後の外観斜視図である。
　　【図６】
　液晶表示素子３０の短絡部分５１をレーザ光線５５によって分断する方法を説明する図である。
　　【図７】
　短絡部分５が形成された液晶表素子１の外観斜視図である。
　　【図８】
　短絡部分５を除去したことを示す図である。
　　【図９】
　駆動用のドライバＩＣをＣＯＦ方式によって実装することを示す図である。
　　【図１０】
　駆動用のドライバＩＣをＣＯＧ方式によって実装することを示す図である。
　　【図１１】
　図１０の矢印１７側における液晶表示素子１の断面図である。
　　【符号の説明】
　３０　液晶表示素子
　３１，３２　ガラス基板
　３３　液晶
　３４　接着剤
　３５　共通電極
　３６　絶縁膜
　３７　ＴＦＴ
　３８　画素電極
　３９　走査側ＩＣ
　４０　信号側ＩＣ
　４１　静電気除去用導電体
　５１　短絡部分
　５４　レーザ光源
　５５　レーザ光線
　ＬＧ　走査側電極
　ＬＳ　信号側電極